(57)【特許請求の範囲】
【請求項１】
水溶性フィルムと、液体洗濯洗剤組成物と、を含む水溶性単位用量物品であって、前記洗濯洗剤組成物が、
ａ．前記洗剤組成物の１０重量％〜４５重量％の第１のアニオン性界面活性剤であって、アミン中和直鎖アルキルベンゼンスルホネートである第１のアニオン性界面活性剤と、  ｂ．第２のアニオン性界面活性剤であって、アミン中和アルキルサルフェートである第２のアニオン性界面活性剤と、
ｃ．任意にアミン中和石鹸と、
ｄ．非イオン性界面活性剤と、
ｅ．任意に疎水変性ポリマーと、
ｆ．前記洗剤組成物の０．５重量％〜２０重量％の水と、を含み、
前記第１のアミン中和アニオン性界面活性剤：前記第２のアミン中和アニオン性界面活性剤と前記非イオン性界面活性剤との合計の重量比が１．３：１〜３：１であり、
前記第１のアミン中和アニオン性界面活性剤：前記アミン中和石鹸の重量比が１：０〜１：０．４５であり、
２つ、３つ、又は４つの内部区画を含む、水溶性単位用量物品。
【請求項２】
前記洗剤組成物の２０重量％〜４０重量％の前記第１のアニオン性界面活性剤を含む、請求項１に記載の水溶性単位用量物品。
【請求項３】
前記第２の界面活性剤がエトキシ化アルキルサルフェートであり、前記エトキシ化アルキルサルフェートは０．５〜５の平均エトキシ化度を有する、請求項１又は２に記載の水溶性単位用量物品。
【請求項４】
前記第１のアミン中和アニオン性界面活性剤：前記第２のアミン中和アニオン性界面活性剤と前記非イオン性界面活性剤との合計の重量比が１．５：１〜２．７：１である、請求項１〜３のいずれか一項に記載の水溶性単位用量物品。
【請求項５】
前記第１のアミン中和アニオン性界面活性剤：前記アミン中和石鹸の重量比が１：０．１〜１：０．４２である、請求項１〜４のいずれか一項に記載の水溶性単位用量物品。
【請求項６】
前記洗剤組成物が、前記洗剤組成物の０．５重量％〜１５重量％の水を含む、請求項１〜５のいずれか一項に記載の水溶性単位用量物品。
【請求項７】
前記第１の界面活性剤、前記第２の界面活性剤、前記アミン中和石鹸、又はこれらの混合物が、モノエタノールアミン、トリエタノールアミン、又はこれらの混合物で中和されている、請求項１〜６のいずれか一項に記載の水溶性単位用量物品。
【請求項８】
前記液体洗濯洗剤組成物が疎水変性ポリマーを含む、請求項１〜７のいずれか一項に記載の水溶性単位用量物品。
【請求項９】
前記非イオン性界面活性剤が、脂肪アルコールエトキシレート非イオン性界面活性剤、オキソ合成非イオン性界面活性剤、ゲルベ非イオン性界面活性剤、及びこれらの混合物から選択される、請求項１〜８のいずれか一項に記載の水溶性単位用量物品。
【請求項１０】
前記液体洗濯洗剤組成物がセルロース系ポリマーを含む、請求項１〜９のいずれか一項に記載の水溶性単位用量物品。
【請求項１１】
洗剤補助成分を含む、請求項１〜１０のいずれか一項に記載の水溶性単位用量物品。
【請求項１２】
嫌悪剤を含む、請求項１〜１１のいずれか一項に記載の水溶性単位用量物品。
【請求項１３】
前記水溶性フィルムがポリビニルアルコールを含む、請求項１〜１２のいずれか一項に記載の水溶性単位用量物品。
【請求項１４】
請求項１〜１３のいずれか一項に記載の水溶性単位用量物品を水中で少なくとも３５０倍に希釈して洗浄液を形成する工程と、次いで、前記洗浄液で布地を洗濯する工程と、を含む、洗濯方法。
【発明の詳細な説明】
【技術分野】
【０００１】
本発明は、洗濯動作で用いる水溶性単位用量物品及びその使用法に関する。
【背景技術】
【０００２】
水溶性単位用量物品は、効率的かつ使いやすいために消費者に好まれる。しかしながら、かかる製品は、用いられる固有容積が小さいために、処方柔軟性に使用可能な空間を限定的にしか有さないという欠点に悩まされる。したがって、洗剤組成物は、多くの場合、特定の染みに有効であるように調整され得るが、別の種類の染みには所望するように有効ではないことがある。
【発明の概要】
【発明が解決しようとする課題】
【０００３】
当該技術分野において、脂染み及び草染みの両方で効果的な洗浄をもたらす水溶性単位用量物品に対するニーズが存在する。いずれの染みも、洗濯する布地、特に子供の布地で同時に見られることが多い。したがって、消費者は、単独の洗濯動作中に両種類の染みを効果的に除去できる洗浄製品を所望する。
【０００４】
驚くべきことに、本発明者らは、本発明の特定の処方空間は、洗濯動作で用いられると、単独の洗濯動作で脂染み及び草染みの両方を効果的に除去する単位用量物品をもたらすことを見出した。 
【課題を解決するための手段】
【０００５】
本発明の第１の態様は、水溶性フィルムと、液体洗濯洗剤組成物と、を含む水溶性単位用量物品であって、この洗濯洗剤組成物は、
ａ．洗剤組成物の１０重量％〜４５重量％の第１のアニオン性界面活性剤であって、アミン中和直鎖アルキルベンゼンスルホネートである第１のアニオン性界面活性剤と、
ｂ．第２のアニオン性界面活性剤であって、アミン中和アルキルサルフェートである第２のアニオン性界面活性剤と、
ｃ．任意にアミン中和石鹸と、
ｄ．非イオン性界面活性剤と、
ｅ．任意に疎水変性ポリマーと、
ｆ．洗剤組成物の０．５重量％〜２０重量％の水と、を含み、
第１のアミン中和アニオン性界面活性剤：第２のアミン中和アニオン性界面活性剤と非イオン性界面活性剤との合計の重量比は１．３：１〜３：１であり、
第１のアミン中和アニオン性界面活性剤：アミン中和石鹸の重量比は１：０〜１：０．４５である。
【０００６】
本発明の第２の態様は、本発明による水溶性単位用量物品を水中で少なくとも３５０倍に希釈して洗浄液を形成する工程と、次いで、当該洗浄液で布地を洗濯する工程と、を含む、洗濯方法である。
【発明を実施するための形態】
【０００７】
水溶性単位用量物品
本発明は、水溶性フィルムと、液体洗濯洗剤組成物と、を含む、水溶性単位用量物品に関する。
【０００８】
この水溶性単位用量物品は、単位用量物品が水溶性フィルムによって包囲された少なくとも１つの内部区画を含むような形状の少なくとも１枚の水溶性フィルムを含む。少なくとも１つの区画は、液体洗浄組成物を含む。水溶性フィルムは、保管中に組成物が区画から漏れ出さないように密閉される。しかし、水溶性単位用量物品を水に添加すると、水溶性フィルムが溶解して、内部区画の内容物が洗浄液中へと放出される。
【０００９】
単位用量物品は、水溶性フィルムが組成物を完全に取り囲み、それによって組成物が存在する区画が画定されるように製造される。単位用量物品は、２枚のフィルム、又は更には３枚のフィルムを含んでよい。第１のフィルムは、組成物が添加される開放された区画を含むような形状であってよい。次いで、区画の開口部を閉じるような方向で第１のフィルムを第２のフィルムで覆ってよい。次いで、封止領域に沿って第１及び第２のフィルムを互いに封止してよい。
【００１０】
水溶性単位用量物品は、２つ、又は更には３つ、又は更には４つの内部区画を含んでよく、好ましくは、これらの区画は、並列で、重畳方向で、又はこれらの組み合わせで配置される。区画は、２つの並列区画が、第３の区画の上に重畳されてよく、第３の区画は、第１の区画及び／又は第２の区画よりも大きい。あるいは、区画は、３つの並列区画が第４の区画の上に重畳されてよく、第４の区画は、第１の区画及び／又は第２の区画及び／又は第３の区画よりも大きい。
【００１１】
単位用量物品は、透明、半透明、又は不透明であってよい。水溶性フィルムは、透明、半透明、又は不透明であってよく、液体洗浄組成物は、透明、半透明、若しくは不透明、又はこれらの組み合わせであってよい。
【００１２】
水溶性単位用量物品には、ＴＩＤＥ  ＰＯＤＳ、ＣＡＳＣＡＤＥ  ＡＣＴＩＯＮ  ＰＡＣＳ、ＣＡＳＣＡＤＥ  ＰＬＡＴＩＮＵＭ、ＣＡＳＣＡＤＥ  ＣＯＭＰＬＥＴＥ、ＡＲＩＥＬ  ３  ＩＮ  １  ＰＯＤＳ、ＴＩＤＥ  ＢＯＯＳＴ  ＯＲＩＧＩＮＡＬ  ＤＵＯ  ＰＡＣｓ、ＴＩＤＥ  ＢＯＯＳＴ  ＦＥＢＲＥＺＥ  ＳＰＯＲＴ  ＤＵＯ  ＰＡＣＳ、ＴＩＤＥ  ＢＯＯＳＴ  ＶＩＶＩＤ  ＷＨＩＴＥ  ＢＲＩＧＨＴ  ＰＡＣＳ、ＤＡＳＨ、ＦＡＩＲＹ  ＰＬＡＴＩＮＵＭという名前でＴｈｅ  Ｐｒｏｃｔｅｒ  ａｎｄ  Ｇａｍｂｌｅ  Ｃｏｍｐａｎｙによって供給される製品が挙げられる。
【００１３】
水溶性単位用量物品は、水溶性フィルムを含む。水溶性フィルムについては、以下で詳述する。
【００１４】
水溶性単位用量物品は、液体洗濯洗剤組成物を含む。液体洗濯洗剤組成物については、以下で詳述する。
【００１５】
水溶性単位用量物品は、嫌悪剤、好ましくは、苦味剤を含んでよい。嫌悪剤は、洗剤組成物中、水溶性フィルム内、水溶性単位用量物品の外側表面、又はこれらの組み合わせに配置されてよい。
【００１６】
「嫌悪剤」とは、本明細書では、口に入れたとき、又は摂取したときに不快な味をもたらす任意の化合物を意味する。かかる不快な味には、苦味、辛味／薬味、不快臭、酸味、冷感、又はこれらの組み合わせが挙げられる。嫌悪剤は、苦味剤であってよい。好ましくは、嫌悪剤は、安全であり、かつ偶発的な経口曝露の場合に最長６秒以内で経口不快挙動を生じさせる濃度である。
【００１７】
好適な苦味剤には、ナリンギン、オクタアセチルスクロース、塩酸キニーネ、安息香酸デナトニウム、及びこれらの混合物が挙げられる。Ｅｕｒｏｐｅａｎ  Ｐｈａｒｍａｃｏｐｏｅｉａ（５ｔｈ  Ｅｄｉｔｉｏｎ，Ｓｔｕｔｔｇａｒｔ  ２００５，Ｖｏｌｕｍｅ  １，Ｇｅｎｅｒａｌ  Ｍｏｎｏｇｒａｐｈ  Ｇｒｏｕｐｓ，２．８．１５  Ｂｉｔｔｅｒｎｅｓｓ  Ｖａｌｕｅ，ｐ．２７８）に示される標準プロセスを用いて測定したとき、苦味剤は、１０００〜１０，０００，０００の苦味値を有してよい。
【００１８】
嫌悪剤は、カプサイシノイド（capsicinoids）（カプサイシンなど）、バニリルエチルエーテル、バニリルプロピルエーテル、バニリルブチルエーテル、バニリンプロピレン、グリコールアセタール、エチルバニリンプロピレングリコールアセタール、カプサイシン、ジンジェロール、４−（１−メントキシメチル）−２−（３’−メトキシ−４’−ヒドロキシ−フェニル）−１，３−ジオキソラン、ペッパー油、ペッパーオレオレジン、ジンジャーオレオレジン、ノニル酸バニリルアミド、ジャンブーオレオレジン、サンショウ皮抽出物、サンショオール、サンショアミド、ブラックペッパー抽出物、シャビシン、ピペリン、スピラントール、及びこれらの混合物からなる群から選択されてよい。
【００１９】
液体洗濯洗剤組成物
水溶性単位用量物品は、液体洗濯洗剤組成物を含む。「液体」とは、本明細書では、基材を濡らし、処理することができる任意の組成物を意味し、分散液、ゲル、ペーストなどの形態を包含する。例えば、分散液は、その中に含まれる固体又は粒子状物質を含む液体である。液体組成物は、好適に細分された形態の気体を含んでもよい。
【００２０】
「布地用洗剤」とは、本明細書では、洗浄及び／又は染み抜きの利点を布地にもたらす任意の組成物を意味する。かかる組成物は、柔軟化、着色防止、毛玉／けば立ちの低減、摩耗防止、抗しわ、又はこれらの組み合わせなど１つ以上の更なる利点を含んでよい。
【００２１】
洗濯洗剤組成物は、洗剤組成物の１０重量％〜４５重量％、好ましくは２０重量％〜３７．５重量％、より好ましくは２０重量％〜３５重量％の第１のアニオン性界面活性剤を含み、第１のアニオン性界面活性剤は、アミン中和直鎖アルキルベンゼンスルホネートである。洗濯洗剤組成物は、第２のアニオン性界面活性剤を更に含み、第２のアニオン性界面活性剤は、アミン中和アルキルサルフェートである。第１のアミン中和アニオン性界面活性剤：第２のアミン中和アニオン性界面活性剤と非イオン性界面活性剤との合計の重量比は、１．３：１〜３：１、好ましくは１．５：１〜２．７：１である。「第２のアミン中和アニオン性界面活性剤と非イオン性界面活性剤との合計」とは、液体洗濯洗剤組成物中の第２のアミン中和アニオン性界面活性剤と非イオン性界面活性剤との合計重量％を意味する。
【００２２】
理論に束縛されるものではないが、低水組成物中で界面活性剤同士のバランスを慎重に取ることにより技術的問題は克服されると考えられる。これもまた驚くべきことに、本発明は、マイルドさの向上という利点を提供することも見出された。
【００２３】
第１のアニオン性界面活性剤は、アミン中和直鎖アルキルベンゼンスルホネートである。「アミン中和」とは、本明細書では、界面活性剤の酸性型が、アミン化合物、好ましくは、モノエタノールアミン、トリエタノールアミン、又はこれらの混合物を用いて対応する塩に中和されることを意味する。
【００２４】
直鎖アルキルベンゼンスルホネートは、Ｃ１０〜Ｃ１６アルキルベンゼンスルホネート、Ｃ１１〜Ｃ１４アルキルベンゼンスルホネート、又はこれらの混合物であってよい。「直鎖」とは、本明細書では、アルキル基が直鎖状であることを意味する。
【００２５】
第２のアニオン性界面活性剤は、アミン中和アルキルサルフェート（alky sulphate）である。「アミン中和」とは、本明細書では、界面活性剤の酸性型が、アミン化合物、好ましくは、モノエタノールアミン、トリエタノールアミン、又はこれらの混合物を用いて対応する塩に中和されることを意味する。好ましくは、第２の界面活性剤は、エトキシ化アルキルサルフェートであり、好ましくは、エトキシ化アルキルサルフェートは、０．５〜５、又は好ましくは１〜３の平均エトキシ化度を有する。第２の界面活性剤は、１０〜１８、好ましくは１２〜１６のアルキル鎖長を有してよい。第２の界面活性剤は、直鎖又は分岐鎖であってよい。
【００２６】
液体洗濯洗剤組成物は、アミン中和石鹸を含んでよい。これは、アミン化合物を用いて対応する石鹸に中和されている脂肪酸を意味し、好ましくは、アミンは、モノエタノールアミン、トリエタノールアミン、又はこれらの混合物から選択される。第１のアミン中和アニオン性界面活性剤：アミン中和石鹸の重量比は１：０〜１：０．４５、好ましくは１：０．１〜１：０．４２である。
【００２７】
好ましくは、第１の界面活性剤、第２の界面活性剤、アミン中和石鹸、又はこれらの混合物は、モノエタノールアミン、トリエタノールアミン、又はこれらの混合物で中和される。好ましい石鹸は、ラウリン酸、ミリスチン酸、パルミチン酸、ステアリン酸、トップドパーム核脂肪酸（topped palm kernel fatty acid）、ヤシ脂肪酸、及びこれらの混合物からなる群に由来する脂肪酸から選択される。
【００２８】
液体洗濯洗剤組成物は、洗剤組成物の０．５重量％〜２０重量％、好ましくは０．５重量％〜１．５重量％、より好ましくは０．５重量％〜１５重量％、最も好ましくは０．５重量％〜１３．５重量％の水を含む。
【００２９】
液体洗濯洗剤組成物は、非イオン性界面活性剤を含む。液体洗濯洗剤組成物は、液体洗濯洗剤組成物の０．１重量％〜１０重量％、好ましくは０．５重量％〜８重量％、より好ましくは０．７５重量％〜６重量％の非イオン性界面活性剤を含んでよい。非イオン性界面活性剤は、好ましくは、脂肪アルコールエトキシレート非イオン性界面活性剤、オキソ合成非イオン性界面活性剤、ゲルベ非イオン性界面活性剤、及びこれらの混合物から選択される。
【００３０】
液体洗濯洗剤組成物は、任意に疎水変性ポリマーを含む。液体洗濯洗剤組成物は、組成物の１重量％〜８重量％の疎水変性ポリマーを含んでよい。好ましくは、疎水変性ポリマーは、ポリエチレングリコール含有ポリマーである。換言すると、このポリマーは、ポリエチレングリコール、例えば、ポリエチレングリコール骨格を含む。より好ましくは、ポリエチレングリコール含有ポリマーは、少なくとも１つの酢酸ビニル鎖でグラフトされたポリエチレングリコール骨格、少なくとも１つのポリビニルアルコール鎖でグラフトされたポリエチレングリコール骨格、及びこれらの混合物を有するポリマーから選択される。
【００３１】
液体洗濯洗剤組成物は、エトキシ化ポリエチレンイミンを含んでよい。好ましくは、液体洗濯洗剤組成物は、組成物の１重量％〜８重量％のエトキシ化ポリエチレンイミンを含んでよい。
【００３２】
液体洗濯洗剤組成物は、セルロース系ポリマーを含んでよい。好ましくは、セルロース系ポリマーは、疎水変性ヒドロキシエチルセルロース、カチオン変性ヒドロキシエチルセルロース、カルボキシメチルセルロース、及びこれらの混合物から選択される。
【００３３】
液体洗濯洗剤組成物は洗剤補助成分を含んでよく、この洗剤補助成分は、好ましくは、色相染料、酵素、構造化剤、光沢剤、キレート剤、審美染料、香料、カプセル化香料、布地ケア成分、汚れ懸濁又は汚れ除去ポリマー、非水溶媒、嫌悪剤、及びこれらの混合物からなる群から選択される。
【００３４】
水溶性フィルム
本発明の単位用量物品は、水溶性フィルムを含む。好ましくは、水溶性フィルムは、２０マイクロメートル〜１００マイクロメートルの厚さを有する。
【００３５】
水溶性単位用量物品に作製される前の水溶性フィルムは、好ましくは、３０μｍ〜１００μｍ、好ましくは５０μｍ〜１００μｍ、更により好ましくは６５μｍ〜８８μｍ、最も好ましくは７６μｍ〜８５μｍの厚さを有する。本明細書では、任意の熱成形又は可塑化技術を適用される、例えば、熱成形して型に入れられる前のフィルムの厚さを意味する。
【００３６】
本発明のフィルムは、水溶性又は水分散性である。
【００３７】
好ましくは、最大孔径２０マイクロメートルのガラスフィルタの使用後に本明細書に記載の方法によって測定したとき、フィルムは、少なくとも５０％、好ましくは少なくとも７５％又は更には少なくとも９５％の水溶性を有する。
【００３８】
予め秤量した４００ｍＬビーカーに、５０グラム±０．１グラムのフィルム材料を入れ、２４５ｍＬ±１ｍＬの蒸留水を添加する。これを、６００ｒｐｍに設定した、電磁撹拌器Ｌａｂｌｉｎｅ  ｍｏｄｅｌ  Ｎｏ．１２５０上で、又は同等の５ｃｍ電磁撹拌器上で、２４℃にて３０分間、激しく撹拌する。その後、混合物を、上記で定義した孔径（最大２０マイクロメートル）の折り畳んだ定性分析用焼結ガラス濾紙で濾過する。回収した濾液から任意の従来の方法によって水を乾燥させ、残った材料の重量を測定する（これが溶解又は分散画分である）。次いで、溶解度又は分散度の割合を計算することができる。
【００３９】
好ましいフィルム材料は、好ましくは、ポリマー材料である。フィルム材料は、当該技術分野において既知であるとおり、例えば、ポリマー材料の注型成形、吹込成形、押出成形又は吹込押出成形によって得ることができる。
【００４０】
パウチ材料として使用するのに好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有していてよく、好ましくは、約１０００〜１，０００，０００、より好ましくは、約１０，０００〜３００，０００、更により好ましくは、約２０，０００〜１５０，０００である。
【００４１】
ポリマー混合物をパウチ材料として使用してもよい。これは、その用途及び必要とされるニーズに応じて、区画又はパウチの機械的特性及び／又は溶解特性を制御するのに有益であり得る。好適な混合物には、例えば、１つのポリマーが別のポリマーよりも高い水溶性を有し、及び／又は１つのポリマーが別のポリマーよりも高い機械強度を有する混合物が挙げられる。異なる重量平均分子量を有するポリマーの混合物、例えば、約１０，０００〜４０，０００、好ましくは２０，０００前後の重量平均分子量のＰＶＡ又はそのコポリマーと、約１００，０００〜３００，０００、好ましくは１５０，０００前後の重量平均分子量のＰＶＡ又はそのコポリマーとの混合物も好適である。ポリマーブレンド組成物、例えば、加水分解で分解可能で水溶性のポリマーブレンド（ポリラクチド及びポリビニルアルコールを混合することにより得られ、典型的に約１〜３５重量％のポリラクチド、及び約６５〜９９重量％のポリビニルアルコールを含む、ポリラクチドとポリビニルアルコールのポリマーブレンドなど）を含むポリマーブレンド組成物も、本明細書において好適である。本明細書に用いるのに好ましいのは、材料の溶解特性を改善するために約６０％〜約９８％加水分解された、好ましくは約８０％〜約９０％加水分解されたポリマーである。
【００４２】
好ましいフィルムは、冷水、すなわち、加熱されていない蒸留水中で良好な溶解を呈するものである。このようなフィルムは、温度２４℃、更により好ましくは１０℃にて良好な溶解を呈することが好ましい。良好な溶解とは、上述のように、最大孔径２０マイクロメートルのガラスフィルタの使用後に本明細書に記載の方法により測定したフィルムの水溶性が、少なくとも５０％、好ましくは少なくとも７５％、又は更には少なくとも９５％であることを意味する。
【００４３】
ＰＶＡ樹脂は、本明細書に記載されるフィルム中の全ＰＶＡ樹脂含有量のうち、約３０〜約８５重量％の第１のＰＶＡポリマー、又は約４５〜約５５重量％の第１のＰＶＡポリマーを含むことができる。例えば、ＰＶＡ樹脂は、各ＰＶＡポリマーを約５０重量％含むことができ、第１のＰＶＡポリマーの粘度は約１３ｃＰであり、第２のＰＶＡポリマーの粘度は約２３ｃＰである。
【００４４】
当然のことながら、異なるフィルム材料及び／又は異なる厚さのフィルムを、本発明の区画の作製に用いてよい。異なるフィルムを選択する利点は、その結果得られる区画が異なる溶解性、すなわち放出特性を呈し得ることである。
【００４５】
また、本明細書のフィルム材料には、１つ以上の添加剤成分を含有させてもよい。例えば、グリセロール、エチレングリコール、ジエチレングリコール、プロピレングリコール、ソルビトール、及びこれらの混合物などの可塑剤を添加することが有益である場合がある。他の添加剤としては、水、及び界面活性剤を含む、洗浄水に送達される機能性洗剤添加剤、例えば有機ポリマー分散剤などを挙げることができる。
【００４６】
あるいは、本明細書で用いる材料は、ポリ酢酸ビニルの加水分解により得られる市販のポリビニルアルコール（ＰＶＡ）である。これらのフィルムの溶解性は、ＰＶＡの加水分解度により、又は架橋剤の使用により選択的に調整することができる。好ましくはフィルムは、約９０〜約９９％、好ましくは約９２〜約９８％、より好ましくは約９４〜約９８％の加水分解度を有するポリ酢酸ビニルを含む。加水分解度は、ビニルアルコール単位に変換された酢酸ビニル単位の比率（％）として表される。
【００４７】
本明細書で用いるのに好適な市販のＰＶＡの例は、株式会社アイセロから入手可能なＢＰ２６、Ａｑｕａｆｉｌｍ社から入手可能なＬ１０及びＬ１５、株式会社クラレから入手可能なＶＦ−Ｍ及びＶＭ−Ｓ、並びにＭｏｎｏｓｏｌ社から入手可能なＥ−２０６０であり、特に株式会社アイセロから入手可能なＢＰ２６が本明細書で用いるのに好ましい。材料の厚さは溶解速度論に影響を与える場合があり、約１〜約２００μｍの間の厚さを有するフィルムが本明細書で用いるのに好ましく、１０〜１００μｍの間の厚さを有するフィルムがより好ましい。
【００４８】
本明細書で用いるのに好ましい他の材料として、デンプン、デンプン誘導体、セルロース及びセルロース誘導体、更に特にメチルセルロース並びにそれらの混合物がある。本明細書で用いるのに特に好ましいものは、ヒドロキシプロピルメチルセルロースを含むポリマーである。
【００４９】
好ましいフィルムは、Ｍｏｎｏｓｏｌによって商品参照番号Ｍ８６３０、Ｍ８９００、Ｍ８７７９、Ｍ８３１０、Ｍ９４６７として供給されているものである。本発明で用いるのに好適なフィルムには、ＴＩＤＥ  ＰＯＤＳ、ＣＡＳＣＡＤＥ  ＡＣＴＩＯＮ  ＰＡＣＳ、ＣＡＳＣＡＤＥ  ＰＬＡＴＩＮＵＭ、ＣＡＳＣＡＤＥ  ＣＯＭＰＬＥＴＥ、ＡＲＩＥＬ  ３  ＩＮ  １  ＰＯＤＳ、ＴＩＤＥ  ＢＯＯＳＴ  ＯＲＩＧＩＮＡＬ  ＤＵＯ  ＰＡＣｓ、ＴＩＤＥ  ＢＯＯＳＴ  ＦＥＢＲＥＺＥ  ＳＰＯＲＴ  ＤＵＯ  ＰＡＣＳ、ＴＩＤＥ  ＢＯＯＳＴ  ＶＩＶＩＤ  ＷＨＩＴＥ  ＢＲＩＧＨＴ  ＰＡＣＳ、ＤＡＳＨ、ＦＡＩＲＹ  ＰＬＡＴＩＮＵＭという名前のＰｒｏｃｔｅｒ  ａｎｄ  Ｇａｍｂｌｅ製品で用いられる、Ｍｏｎｏｓｏｌによって供給されるものが挙げられる。
【００５０】
本発明で用いるフィルムは、ある英国スーパーでＡｒｉｅｌ  Ｐｏｄｓ  ３ｉｎ１というブランドで２０１５年５月２１日に購入した製品で用いられた化学構造と同一の化学構造を有してよい。外容器は、不透明な剛性タブ（一般に、色は緑）であり、４  ０１５６００  ３８５３９２というバーコードを含んでいた。
【００５１】
フィルムは、不透明、半透明又は透明であってよい。フィルムは、印刷された領域を含んでよい。プリントされた領域は、フィルム表面の１０〜８０％、又は区画の内部空間と接触しているフィルム表面の１０〜８０％、又はフィルム表面の１０〜８０％及び区画表面の１０〜８０％に及んでいてよい。
【００５２】
プリント領域は、フィルムの連続した部分に及んでいても、連続した部分の一部、すなわちプリントのうちの狭い方の領域に及んでいてもよく、その合計が、フィルム表面若しくは区画の内部空間と接触するフィルム表面、又はその両方の１０〜８０％を占める。
【００５３】
プリント領域はインク、顔料、染料、青み付け剤又はこれらの混合物を含み得る。プリント領域は、不透明、半透明、又は透明であってよい。
【００５４】
プリント領域は単色を含んでも、複色、更に３色を含んでもよい。プリント領域は、白色、黒色、青色、赤色又はこれらの組み合わせを含んでよい。プリントは、フィルム表面に層として存在しても、フィルム内に少なくとも部分的に浸透していてもよい。フィルムは、第１の側面及び第２の側面を含むものである。プリント領域は、フィルムの一方側に存在しても、フィルムの両側に存在してもよい。あるいは、プリント領域は、フィルム本体内に少なくとも部分的に含まれていてよい。
【００５５】
プリント領域はインクを含んでよく、インクは顔料を含む。フィルム上にプリントするためのインクは、好ましくは水中での所望の分散等級を有する。インクは、白、赤、黒を含む任意の色であってよい。
【００５６】
印刷領域は、フレキソ印刷又はインクジェット印刷などの標準的な技術を使用して得ることができる。好ましくは、印刷領域は、フレキソ印刷を介して得られ、この場合、フィルムは印刷された後、開口区画の形状に成形される。次いで、この区画に洗剤組成物が充填され、区画上方に第２のフィルムが配置され、第１のフィルムと封止される。プリント領域は、フィルムの片側であっても、両側であってもよい。
【００５７】
あるいは、フィルムの全部又は少なくとも一部が着色されるように、インク又は顔料をフィルムの製造中に添加してもよい。
【００５８】
洗濯方法
本発明はまた、本発明による水溶性単位用量物品を水中で少なくとも３５０倍に希釈して洗浄液を形成する工程と、次いで、当該洗浄液で布地を洗濯する工程と、を含む、洗濯方法に関する。
【００５９】
本発明の単位用量物品は、洗濯動作で単独で用いられてよい、又は布地柔軟剤若しくは布地用染み抜き剤など他の洗濯用添加剤と共に用いられてよい。単位用量物品は、市販の「Ｌｅｎｏｒ  Ｕｎｓｔｏｐｐａｂｌｅｓ」など香り増強組成物と共に用いられてよい。
【００６０】
本明細書に開示した寸法及び値は、記載された正確な数値に厳密に限定されるものと理解されるべきではない。むしろ、特に断らない限り、そのような各寸法は、記載された値及びその値の周辺の機能的に同等の範囲の両方を意味するものとする。例えば、「４０ｍｍ」として開示される寸法は、「約４０ｍｍ」を意味するものとする。
【実施例】
【００６１】
以下に、本発明による組成物の非限定例（組成物の重量％で表記した成分濃度）を記す。各組成物は、多区画単位用量組成物に処方され、水溶性フィルムは、ポリビニルアルコールを含んでいた。水溶性フィルムは、Ｂｉｔｒｅｘの商品名でＭｃＦａｒｌａｎｄ  Ｓｍｉｔｈから市販されている苦味剤（安息香酸デナトニウム）を含んでいた。
【００６２】
【表１】
0006668451.tif 000002